(57)【要約】【課題】ジュート繊維を使用せず、また、布地形成の際には、鉱物油を使用しない、安価で加工容易な、樹木の根巻き又は幹巻き用の被包材を提供する。【解決手段】天然繊維を５１％以上含み、鉱物油を含浸しない、混紡繊維から成る布地１を形成し、当該布地１によって樹木Ａの根巻き又は幹巻きを行う。また、上記布地１の天然繊維の割合を７０％以上にした。また、上記天然繊維を綿とした。さらに、上記布地１の編目の大きさを約１ｍｍ２とした。【選択図】図１
0003116884.tif 000002
【実用新案登録請求の範囲】
【請求項１】
天然繊維を５１％以上含み、鉱物油を含浸しない、混紡繊維から成る布地を形成し、当該布地によって樹木の根巻き又は幹巻きを行うことを特徴とする、樹木の根巻き又は幹巻き用被包材。
【請求項２】
上記布地の天然繊維の割合を７０％以上にしたことを特徴とする、上記請求項１に記載の樹木の根巻き又は幹巻き用被包材。
【請求項３】
上記天然繊維が綿であることを特徴とする、上記請求項１又は２の何れかに記載の樹木の根巻き又は幹巻き用被包材。
【請求項４】
上記布地の編目の大きさを約１ｍｍ２としたことを特徴とする、上記請求項１、２、又は３の何れかに記載の樹木の根巻き又は幹巻き用被包材。
【考案の詳細な説明】
【技術分野】
【０００１】
この考案は、植え付けていた樹木を掘り起こして地上に並べたり、植え替え又は輸送等をする際に当該樹木の根又は幹の周りに巻く、根巻き又は幹巻き用の被包材に関するものである。
【背景技術】
【０００２】
従来、大型の植木店では、１０〜１１月頃になると、それまで、土中に植えていた出荷用の落葉樹を掘り起こし、地上に載置し、並べて越冬させている。これは、これらの樹木の出荷としては春が多く、また、この時期、土中に埋めて生育するのと、この様に掘り起こして地上で生育させるのとで、樹木の生育に変わりが無いためである。それ故、これらの期間、土中での生育が必要な他の樹木を土中に植えて、店内の敷地の有効な利用を図っている。
【０００３】
そして、樹木を地上に載置する際、樹木への養分の供給を維持するために、また、樹木の根部分が乾燥しない様に、樹木の根の周囲に土が付いたままの状態で、その周りを布で巻き回す、いわゆる、根巻きを行っている。また、樹木の幹の周りに布を巻きまわしてその上から縄をかけて保護し、輸送等の際に当該樹木が他のものと接触して傷むのを防ぐ等している。
【０００４】
この様な根巻き用の被包材として、以前より、図２に示すような、綱麻（つなそ、中国名『黄麻』）で織った繊維製品である、いわゆるジュート繊維３が広く使用されている。この様にジュート繊維３で樹木Ａの根ａの周囲を包み込んだ後、その全体に縄２を巻いて被包が解けないようにしている。
【０００５】
この様なジュート繊維は、成長した綱麻を伐採し、細く削って乾燥させた後、加工して形成するものであり、当該加工の際に繊維を柔らかくするために鉱物油を浸み込ませている。
【０００６】
一例として、従来の被包材として使用されているジュート繊維の含浸油の量及び油種の判定を公的検査機関である社団法人日本油料検定協会分析技術センターに依頼して行った。その結果は、含浸油の量、１．１質量％（２．２ｇ／ｍ２、ガスクロマトグラフ法による）、油種の判定、重質軽油（炭素係数Ｃ１５〜Ｃ２４、ガスクロマトグラフ法による）であった（参考資料）。
【考案の開示】
【考案が解決しようとする課題】
【０００７】
しかしながら、この被包材により根巻きした樹木を、地上に載置した場合、その期間は、秋から翌年の春前までのおよそ半年間となる。その間、根巻きしたジュート繊維に含浸させた鉱物油が周りの地面に滲み出て他物に付着したり、また、土中に浸み込むことがある。さらに、この様なジュート繊維で根巻きした樹木を土中に植え付けた場合も、同様に土中に油が浸み込むことがある。これらの土中に浸み込んだ油は、長期間に渡って分解されずに土中に残るので環境破壊の原因となっている。
【０００８】
また、ジュート繊維製の根巻き用の被包材では、往々にして編目の大きさが粗くなり、そのため土がこぼれ易く、根の周囲の土のかたまりを崩してしまうことがある。また、根の周囲の土中の水分も逃げ易く、乾燥し易い。そのために常に水を遣る手間がかかる。
【０００９】
さらに、ジュート繊維製の被包材では、それ自体が硬く、ゴワゴワした感触であり、根巻き等するには容易ではなく、熟練者でなければ、時間を要していた。また、ジュート繊維で根巻きをした樹木は、１０〜１１月になって、地上に並べた場合、当該ジュート繊維が脆く、日射や風雨により崩壊し易く、出荷前に再度、根巻きをし直す必要があり、さらに、一手間かかることがあった。
【００１０】
そこで、この考案は、この様なジュート繊維を使用しない、安価で加工容易な、樹木の根巻き等用の被包材を提供して上記課題を解決するものである。
【課題を解決するための手段】
【００１１】
請求項１の考案は、天然繊維を５１％以上含み、鉱物油を含浸しない、混紡繊維から成る布地を形成し、当該布地によって樹木の根巻き又は幹巻きを行う樹木の根巻き又は幹巻き用被包材とした。また、請求項２の考案は、上記布地の天然繊維の割合を７０％以上にした上記請求項１に記載の樹木の根巻き又は幹巻き用被包材とした。
【００１２】
請求項３の考案は、上記天然繊維が綿である上記請求項１又は２の何れかに記載の樹木の根巻き又は幹巻き用被包材とした。また、請求項４の考案は、上記布地の編目の大きさを約１ｍｍ２とした上記請求項１、２、又は３の何れかに記載の樹木の根巻き又は幹巻き用被包材とした。
【考案の効果】
【００１３】
請求項１の考案によれば、天然繊維５１％以上含み、鉱物油を含浸させない、混紡繊維で被包材を形成したので、この被包材が柔らかく、何人でも容易に樹木の根巻き又は幹巻きをすることが出来、作業の効率化にも寄与する。
【００１４】
また、鉱物油を含浸させないので、地上に並べても、また、そのまま土中に移植しても、鉱物油が地面に滲んだり、土中に浸み込むといったことがなく、環境に優しく、巻きまわされる樹木にとっても、悪影響を及ぼす恐れが無いものである。さらに、この被包材で根巻きした状態の樹木を土中に植えても、土中でこの被包材が分解されるので、環境破壊を起こさない。
【００１５】
また、この被包材で根巻きした場合、従来のジュート繊維より当該被包材の編目の大きさが小さいので、保水性に優れ、根を乾燥から守り、必要以上に水を遣るなどの手間もかからない。さらに、土がこぼれず、根の周囲に形成された土のかたまりを崩さないので、根を被包したままの状態で一定期間の樹木の保管が出来る。また、この被包材は、天然繊維以外の人造繊維が混紡されているため、強度もあり、日射や風雨にも強く、ジュート繊維よりも長持ちするので、根巻きした状態で地上に並べた樹木であっても出荷前に巻きなおすということが無い。
【００１６】
請求項２の考案によれば、天然繊維の割合を７０％以上としたので、上記請求項１の考案よりも、さらに、天然繊維を使用したことによる効果が大きくなり、触れた感触も良く、土中での分解も早くなるものである。また、請求項３の考案によれば、上記天然繊維として綿を使用したので、接触面がさらっとして、しなやかで、感触が良く、使用する人にも好印象を与えるので、この被包材の普及にも貢献し、さらに、この布地で形成された被包材は、単価を安く抑えることが出来、生産者及びユーザーの負担の軽減になる。また、この被包材は、従来のジュート繊維に比べ、軽量であり、輸送の際の負担も軽減することが出来る。
【００１７】
また、請求項４の考案によれば、上記被包材は、布地の編目の大きさを約１ｍｍ２としたので、この被包材で根巻きを行うと、より根の周りの土の保持状態が良く、また、保水性も良い。さらに、幹巻きの場合も当該幹にかかる気温や湿度の変化を和らげるものである。
【考案を実施するための最良の形態】
【００１８】
綿を７０％以上含み、鉱物油を含浸しない、編目の大きさが１ｍｍ２の混紡繊維から成る布地を形成し、当該布地によって樹木の根巻き又は幹巻きを行った。
【実施例１】
【００１９】
以下、この考案の実施例を図に基づいて説明する。
この実施例では、根巻き用の被包材を使用して説明する。樹木Ａの根巻き用の被包材として、綿７０％、人造繊維３０％を混紡して布地１を形成する。この布地１は、加工の際に鉱物油を使用しておらず、略正方形状で、編目の大きさが約１ｍｍ２のものから成る。
【００２０】
図１に示すのは、この様な布地１で樹木Ａの根ａ部分を包み込んで当該根ａ部分を完全に被包し、根ａの上方の幹ｂに至る部分で布地１の夫々の端縁を樹木Ａの幹ｂを中心にして重ね合わせ、被包材全体の上から縄２を適宜の間隔で巻き回して、被包が解けないようにした状態を示す。
【００２１】
この状態で、１０〜１１月から翌年の３月位まで、地上に載置しておいても、樹木Ａの根ａの周囲に形成された土のかたまりを崩さない。さらに、根ａを被包したままの状態で一定期間の樹木Ａの保管が出来る。もちろん、このままの状態で土中に植え替えてもよい。
【００２２】
上記実施例においては、この考案の布地１の形成に際して、天然繊維である綿に人造繊維を混紡しているが、天然繊維としては綿に限らず、また、混紡する人造繊維としては、一種類のものに限らず、二種類以上の人造繊維を使用しても良い。
【００２３】
また、この考案の布地１の形状を略正方形状としたが、形状としては、略正方形状に限定するものではなく、長方形状、円形状、帯状のものなど根巻きが出来るものなら何でも良い。また、上記実施例においては、樹木Ａの根巻きの場合を用いて説明したが、根巻きの他、幹ｂの回りに巻付けても、もちろんよい。
【００２４】
さらに、上記実施例では、布地１で被包した後、全体を縄２で巻きまわして被包が解けないようにしているが、解けないように巻きまわすのは、縄２に限定するものではなく、この縄２に代えて、紐など適宜のもので良い。また、縄２で被包材の全体を巻きまわす作業に代えて、樹木Ａを布地１で被包した後、樹木Ａの根ａの上方の幹ｂに至る部分を中心に重ね合わせた布地１の端縁部分を紐などを巻き回して締め付けて被包が解けないようにしても良い。
【００２５】
さらに、上記実施例においては、布地１に着色は行っていないが、これらを黒色に着色して、日光の熱を吸収し易くしたり、また、複数の色を使用して根巻きされた樹木Ａを品種毎に色分けするなどして、店頭、床上や路上等に載置されている樹木を区別し易くすることも出来る。
【図面の簡単な説明】
【００２６】
【図１】この考案の実施例の被包材である布地によって、樹木を根巻きした状態の一部正面図である。
【図２】従来の被包材であるジュート繊維によって、樹木を根巻きした状態の一部正面図である。
【符号の説明】
【００２７】
Ａ    樹木                                    ａ    根
ｂ    幹
１    布地                                    ２    縄
３    ジュート繊維
【図１】
0003116884.tif 000003
【図２】
0003116884.tif 000004